(57)【要約】【課題】ネットワーク端末の詳細情報を取得する。【解決手段】ＩＰプロトコルよりも下位のデータリンク層でネットワークデバイスに付与される物理アドレスを利用して、ネットワーク端末の情報を得る。この物理アドレス（ＭＡＣアドレス）は全世界で重複することのないデバイス固有ＩＤである。図１において端末Ａはネットワークをスキャンして、ネットワーク上の端末Ｂを見つけ、端末Ｂの物理アドレスを取得する。端末Ａはこの物理アドレスをサーバーリクエスト用の情報に変換してデータベースサーバー１０４に送信する。サーバー１０４は物理アドレスから、製品名などを検索できる手段を有し、あらかじめ、メーカーによって、情報が登録されているものとする。サーバー１０４は受信した物理アドレスから、端末Ｂの製品名などの情報を検索し、端末Ａに送信する。端末Ａはサーバー１０４からの情報を解読し、端末Ｂの詳細情報を取得する。【選択図】図１
2007199820.tif 000002
【特許請求の範囲】
【請求項１】
ＩＰネットワークの通信機能の有する装置において、ネットワークをスキャンして同一ネットワーク内に存在する他のネットワーク機器を検出する手段と、検索したネットワーク機器の物理アドレスを取得する手段と、物理アドレスからネットワーク機器の詳細情報を検索することのできるインターネット上にあらかじめ用意されたサーバーに対して、物理アドレスから送信するための情報を生成する手段と、そのサーバーに情報を送信する手段と、サーバーからの返信を受信する手段と、返信された情報を解読しネットワーク機器の詳細情報を取得する手段を有する装置。
【発明の詳細な説明】
【技術分野】
【０００１】
本発明は、ＭＡＣアドレスなどの物理アドレスを用いて、ネットワーク上の端末の製品情報を得るものである。
【背景技術】
【０００２】
近年発達したＩＰを使ったネットワーク技術は、汎用コンピュータの世界で発展し、現在でもインターネットの世界では通信相手がＰＣである場合がほとんどである。
【０００３】
しかし、家庭内ＬＡＮの場合は事情が異なる。最近、デジタルテレビやＤＶＤレコーダーなどの電化製品の中にはネットワーク機能を持つものが登場し、これらの製品が家庭内ＬＡＮに接続されるようになったのである。これらネットワーク家電を家庭内ＬＡＮで用いる場合、ＰＣの世界で培われた技術ではユーザーのニーズを満たすことは難しいことがある。たとえば、テレビがＩＰネットワーク上存在するビデオを遠隔操作しようとしたとき、どのＩＰアドレスにビデオがあって、それがどのメーカーのなんという製品名で外部からどのような操作が出来るのかを知る必要がある。ここで言うどんな製品というのはテレビ、ビデオなどの製品の種類や、メーカー、製品名、型番のことなどを言う。
【０００４】
一般にどのＩＰアドレスが使われているかを知るには、ネットワークをスキャンすればよい。しかし、そのＩＰアドレスにどんな機能を持った何という名前の製品が接続されているかは、知ることは難しい。ＩＰアドレスからその端末の情報を得る手段としてＤＮＳによる逆引きなどがあるが、これを用いて取得できるのは、あくまでホスト名であって製品名や種類などの詳細情報ではない。
【０００５】
他にネットワーク管理用のＳＮＭＰを用いる方法もあるが、相手がＳＮＭＰに対応している必要がある。ＰＣの場合は、ＳＮＭＰソフトをインストールすることによって、後で対応することが可能であるが、家電製品の場合メーカーがその製品のファームウェアを更新しない限り不可能である。
【０００６】
ネットワーク端末を特定し、その端末の情報を取得できたとしても、それを操作するためには、操作プログラムが必要になる。この操作プログラムをあらかじめ製品に組み込んでおくことは、ＲＯＭ容量の観点から組み込み機器では不可能である。また、将来に出てくる製品についての操作プログラムはあらかじめ作成しておくことはできない。
【非特許文献１】「ＳＮＭＰネットワーク管理ツール」  ＩＳＢＮ：４７９８１００７６５
【発明の開示】
【発明が解決しようとする課題】
【０００７】
ネットワーク上に存在する、自分以外の端末について、その端末の製品の種類、メーカー、製品名、型番、遠隔操作手段などの情報を取得しようとしたとき、今までの技術では不十分であった。
【課題を解決するための手段】
【０００８】
ＩＰプロトコルよりも下位のデータリンク層でネットワークデバイスに付与される物理アドレスを利用して、ネットワーク端末の情報を得る。この物理アドレス（ＭＡＣアドレス）は全世界で重複することのないデバイス固有ＩＤである。このＩＤをインターネット上のデータベースサーバーに問い合わせることによって、そのネットワーク端末の製品名や種類などの情報を得ることを特徴とする。
【発明の効果】
【０００９】
本機能を、テレビ、ビデオなどのネットワーク家電に搭載することによって、ＬＡＮ上に存在する製品の情報をデータベースサーバーから、自動的に取得することが出来る。
【発明を実施するための最良の形態】
【００１０】
ネットワーク機器の情報を取得するという目的を、検索情報生成手段と検索結果解読手段と、データベースサーバーで実現した。
【００１１】
（実施の形態１）
図１は、本発明を実施するための構成図である。ネットワーク機器Ａ，Ｂ、Ｃ，Ｄは同一ネットワーク上に存在するとする。各ネットワーク機器には、ＩＰアドレスが付与されている。また、ＩＰアドレスよりも下位のデータリンク層のネットワークデバイスには物理アドレス（ＭＡＣアドレス）が付与されている。この物理アドレスは全世界で重複することのないデバイス固有ＩＤであり、メーカーからの出荷時にすでに付与されている。データベースサーバー１０４は物理アドレスと製品の詳細情報のテーブルとこれを検索する手段を有しており、外部からのリクエストに応じて、製品の詳細情報を返信する。検索情報生成手段１０６は、物理アドレスからデータベースサーバー１０４で詳細情報を検索するための情報を生成する。検索結果解読手段１１０は、データベースサーバー１０４から返信された情報を解読し、ネットワーク機器の詳細情報に変換する。
【００１２】
図２は、本発明を実施するための手順図である。以下に、図１のネットワーク機器Ａがネットワーク機器Ｂの詳細情報を取得する手順を示す。
【００１３】
（１）ネットワーク機器Ａは、自分が所属するネットワークをスキャンして、自分以外のネットワーク上に存在する自分以外の端末のＩＰアドレスを取得する。
【００１４】
（２）検出したネットワーク機器の中から、ネットワーク機器Ｂの詳細情報を得るためにネットワーク機器Ｂの物理アドレス（ＭＡＣアドレス）をデータリンク層から取得する。
【００１５】
（３）取得した物理アドレスを利用して、データベースサーバー１０４に問い合わせるためのフォーマットの情報を生成する。
【００１６】
（４）（３）で生成した情報をデータベースサーバー１０４に送信する。
【００１７】
（５）データベースサーバー１０４から、（４）の送信の返信を受信する。
【００１８】
（６）（５）で受信した情報を解読して、ネットワーク機器Ｂの製品の詳細情報を取得する。
【００１９】
以上の手順を実施することによって、ネットワーク機器Ａは、ネットワーク機器Ｂの詳細情報を取得することができる。
【産業上の利用可能性】
【００２０】
本発明を用いて、取得したネットワーク機器の情報は、テレビ画面などに表示して、ユーザーに提供される。本発明によって家庭内ＬＡＮに存在するネットワーク機器の情報は自動的にデータベースサーバー１０４から自動的に取得されるため、ユーザーは意識することなくネットワーク上の機器の製品名、種類、特徴などを知ることができる。
【００２１】
また、本発明によってネットワーク上のＤＶＤレコーダーの機種を特定し、これを操作するプログラムをテレビに自動ダウンロードすることによって、ＤＶＤレコーダーの遠隔操作が可能になる。
【図面の簡単な説明】
【００２２】
【図１】ネットワーク端末の情報の取得の実施方法を示した構成図
【図２】ネットワーク端末情報取得の実施手順図
【符号の説明】
【００２３】
１０４    データベースサーバー
１０６    検索情報生成手段
【図１】
2007199820.tif 000003
【図２】
2007199820.tif 000004